【手続補正書】
【提出日】平成25年7月24日(2013.7.24)
【手続補正１】
【補正対象書類名】特許請求の範囲
【補正対象項目名】全文
【補正方法】変更
【補正の内容】
【特許請求の範囲】
【請求項１】
光電変換により信号を生成する単位画素が２次元行列状に配置された画素領域と、
同一列の前記単位画素毎に設けられ、前記単位画素から出力された信号をそれぞれアナログからデジタルに変換する複数のアナログデジタル変換器と、
前記アナログデジタル変換器に対応して設けられ、前記複数のアナログデジタル変換器により変換された一の行のデジタルの信号を記憶する複数の第１のメモリ部と、
前記アナログデジタル変換器に対応して設けられ、前記複数のアナログデジタル変換器により変換された一の行のデジタルの信号を記憶する複数の第２のメモリ部と、
前記第１のメモリ部の信号及び前記第２のメモリ部の信号を基に出力信号を出力するデジタル信号処理部とを有し、
前記第１のメモリ部及び前記第２のメモリ部は、非加算時には同一の行のデジタルの信号を記憶し、加算時には異なる行のデジタルの信号を記憶し、
前記デジタル信号処理部は、非加算時には、対象列の前記第１及び第２のメモリ部の一方が不良であるときには対象列の前記第１及び第２のメモリ部の他方の信号を基に出力信号を出力することを特徴とする固体撮像装置。
【請求項２】
光電変換により信号を生成する単位画素が２次元行列状に配置された画素領域と、
同一列の前記単位画素毎に設けられ、前記単位画素から出力された信号をそれぞれアナログからデジタルに変換する複数のアナログデジタル変換器と、
前記アナログデジタル変換器に対応して設けられ、前記複数のアナログデジタル変換器により変換された一の行のデジタルの信号を記憶する複数の第１のメモリ部と、
前記アナログデジタル変換器に対応して設けられ、前記複数のアナログデジタル変換器により変換された一の行のデジタルの信号を記憶する複数の第２のメモリ部と、
前記第１のメモリ部の信号及び前記第２のメモリ部の信号を基に出力信号を出力するデジタル信号処理部とを有し、
前記第１のメモリ部及び前記第２のメモリ部は、非加算時には同一の行のデジタルの信号を記憶し、加算時には異なる行のデジタルの信号を記憶し、
前記デジタル信号処理部は、加算時には、対象列の前記第１及び第２のメモリ部の一方が不良であるときには少なくとも対象列の前記第１及び第２のメモリ部の他方の信号を基に出力信号を出力することを特徴とする固体撮像装置。
【請求項３】
前記デジタル信号処理部は、加算時には、対象列の前記第１及び第２のメモリ部の一方が不良であるときには対象列の前記第１及び第２のメモリ部の他方の信号を増幅して出力信号を出力することを特徴とする請求項２記載の固体撮像装置。
【請求項４】
前記デジタル信号処理部は、加算時には、対象列の前記第１及び第２のメモリ部の一方が不良であるときには対象列に隣接する複数列の前記第１又は第２のメモリ部の信号の平均値と対象列の前記第１及び第２のメモリ部の他方の信号とを加算して出力信号を出力することを特徴とする請求項１〜３のいずれか１項に記載の固体撮像装置。
【請求項５】
さらに、前記複数の第１のメモリ部及び前記複数の第２のメモリ部の正常又は不良を示す情報を記憶する欠陥記憶部を有し、
前記デジタル信号処理部は、前記欠陥記憶部の情報を基に前記第１のメモリ部又は前記第２のメモリ部の正常又は不良を判断することを特徴とする請求項１〜４のいずれか１項に記載の固体撮像装置。
【請求項６】
光電変換により信号を生成する単位画素が２次元行列状に配置された画素領域と、
同一列の前記単位画素毎に設けられ、前記単位画素から出力された信号をそれぞれアナログからデジタルに変換する複数のアナログデジタル変換器と、
前記アナログデジタル変換器に対応して設けられ、前記複数のアナログデジタル変換器により変換された一の行のデジタルの信号を記憶する複数の第１のメモリ部と、
前記アナログデジタル変換器に対応して設けられ、前記複数のアナログデジタル変換器により変換された一の行のデジタルの信号を記憶する複数の第２のメモリ部と、
前記第１のメモリ部の信号及び前記第２のメモリ部の信号を基に出力信号を出力するデジタル信号処理部とを有する固体撮像装置の駆動方法であって、
前記第１のメモリ部及び前記第２のメモリ部が、非加算時には同一の行のデジタルの信号を記憶し、加算時には異なる行のデジタルの信号を記憶する記憶ステップと、
前記デジタル信号処理部が、非加算時には、対象列の前記第１及び第２のメモリ部の一方が不良であるときには対象列の前記第１及び第２のメモリ部の他方の信号を基に出力信号を出力する出力ステップと
を有することを特徴とする固体撮像装置の駆動方法。
【請求項７】
光電変換により信号を生成する単位画素が２次元行列状に配置された画素領域と、
同一列の前記単位画素毎に設けられ、前記単位画素から出力された信号をそれぞれアナログからデジタルに変換する複数のアナログデジタル変換器と、
前記アナログデジタル変換器に対応して設けられ、前記複数のアナログデジタル変換器により変換された一の行のデジタルの信号を記憶する複数の第１のメモリ部と、
前記アナログデジタル変換器に対応して設けられ、前記複数のアナログデジタル変換器により変換された一の行のデジタルの信号を記憶する複数の第２のメモリ部と、
前記第１のメモリ部の信号及び前記第２のメモリ部の信号を基に出力信号を出力するデジタル信号処理部とを有する固体撮像装置の駆動方法であって、
前記第１のメモリ部及び前記第２のメモリ部が、非加算時には同一の行のデジタルの信号を記憶し、加算時には異なる行のデジタルの信号を記憶する記憶ステップと、
前記デジタル信号処理部が、加算時には、対象列の前記第１及び第２のメモリ部の一方が不良であるときには少なくとも対象列の前記第１及び第２のメモリ部の他方の信号を基に出力信号を出力する出力ステップと
を有することを特徴とする固体撮像装置の駆動方法。
【請求項８】
前記出力ステップでは、加算時には、対象列の前記第１及び第２のメモリ部の一方が不良であるときには対象列の前記第１及び第２のメモリ部の他方の信号を増幅して出力信号を出力することを特徴とする請求項７記載の固体撮像装置の駆動方法。
【請求項９】
前記出力ステップでは、加算時には、対象列の前記第１及び第２のメモリ部の一方が不良であるときには対象列に隣接する複数列の前記第１又は第２のメモリ部の信号の平均値と対象列の前記第１及び第２のメモリ部の他方の信号とを加算して出力信号を出力することを特徴とする請求項６〜８のいずれか１項に記載の固体撮像装置の駆動方法。
【請求項１０】
さらに、前記複数の第１のメモリ部及び前記複数の第２のメモリ部の正常又は不良を示す情報を欠陥記憶部に記憶する欠陥記憶ステップと、
前記デジタル信号処理部が、前記欠陥記憶部の情報を基に前記第１のメモリ部又は前記第２のメモリ部の正常又は不良を判断する判断ステップと
を有することを特徴とする請求項６〜９のいずれか１項に記載の固体撮像装置の駆動方法。
【手続補正２】
【補正対象書類名】明細書
【補正対象項目名】発明の名称
【補正方法】変更
【補正の内容】
【発明の名称】固体撮像装置及び固体撮像装置の駆動方法
【手続補正３】
【補正対象書類名】明細書
【補正対象項目名】０００１
【補正方法】変更
【補正の内容】
【０００１】
本発明は、固体撮像装置及び固体撮像装置の駆動方法に関する。